(57)【特許請求の範囲】
【請求項１】
被磁着体に対し着脱自在で矩形状のシート状部材とその巻取り具であって、
上記シート状部材の左右の端部の上端及び下端にそれぞれ永久磁石を取り付ける一方、上記巻取り具を軸方向に形成された凹部を有する円筒状の筒体と、該筒体の両端に取り付けられ嵌合部を有するキャップとで構成し、上記永久磁石を被磁着体に磁着させることにより上記シート状部材を被磁着体に取り付ける一方、上記シート状部材を被磁着体から取り外すに際し、上記シート状部材の左右の端部の一方の上端及び下端に形成されたフックを上記嵌合部に嵌合させるとともに、上記シート状部材の左右の端部の上記一方の上端及び下端に位置する上記永久磁石を上記凹部に収容して上記シート状部材を上記巻取り具に巻き取るようにしたシート状部材とその巻取り具。
【請求項２】
上記キャップを上記筒体の軸方向にスライド自在に取り付け、上記キャップを上記筒体に対し軸方向にスライドさせることにより上記フックと上記嵌合部との嵌合及びその解除を行うようにした請求項１に記載のシート状部材とその巻取り具。
【請求項３】
上記キャップが留め具を有し、上記巻取り具への上記シート状部材の巻き取り後、上記シート状部材の左右の端部の他方の上端及び下端に形成された切り欠きに上記留め具を係止するようにした請求項１あるいは２に記載のシート状部材とその巻取り具。
【請求項４】
上記シート状部材が筆記ボード／反射型スクリーン両用シートである請求項１乃至３のいずれか１項に記載のシート状部材とその巻取り具。
【発明の詳細な説明】
【０００１】
【発明の属する技術分野】
本発明は、黒板あるいはホワイトボード用シート、プロジェクタ用スクリーン、これらの兼用シート等の着脱式シート状部材とその巻取り具に関する。
【０００２】
【従来の技術】
近年、従来の黒板に代わり、水性あるいは油性インキのフェルトペン等で筆記し、拭き取ることにより消去できるホワイトボードと称される筆記板が普及している。このホワイトボードの筆記面を構成する筆記層は、各種ボード上に貼付して黒板と同様な形態で使用されたり、巻取りのできる軟質のシートとして例えば電子写真複写装置と組み合わせて、筆記した文字、図形等を直ちに複写できる製品にも用いられている。
【０００３】
最近では、上記のように筆記及び消去が可能なシートを映写機等のプロジェクタ用反射型スクリーンとしても使用できるようにした筆記ボード／反射型スクリーン両用シートも各種提案され、実用化されている（例えば、特開平６−２７５３２号公報、特開平９−２３０５０６号公報、特開平１０−２８７０９１号公報等）。
【０００４】
このようなシートは、使用後は通常巻き取って紐でくくるか、あるいは、所定の筒に入れて収納している。
【０００５】
【発明が解決しようとする課題】
しかしながら、シート状のものをただ単に巻き取って収納しただけでは、巻取り操作を誤ってシート状のものを押し潰した際にシート面に皺が発生したり、巻取り径が小さ過ぎるとクラックや皺が発生して、筆記及び消去性能あるいはスクリーン性能が低下したり、シートの両端部に反りが発生するという問題があった。
【０００６】
本発明は、従来技術の有するこのような問題点に鑑みてなされたものであり、容易に巻き取り可能で、巻取り操作を誤ってもクラックや皺が発生したり、端部に反りが発生したりすることのない信頼性の高いシート状部材とその巻取り具を提供することを目的としている。
【０００７】
【課題を解決するための手段】
上記目的を達成するために、本発明のうちで請求項１に記載の発明は、被磁着体に対し着脱自在で矩形状のシート状部材とその巻取り具であって、上記シート状部材の左右の端部の上端及び下端にそれぞれ永久磁石を取り付ける一方、上記巻取り具を軸方向に形成された凹部を有する円筒状の筒体と、該筒体の両端に取り付けられ嵌合部を有するキャップとで構成し、上記永久磁石を被磁着体に磁着させることにより上記シート状部材を被磁着体に取り付ける一方、上記シート状部材を被磁着体から取り外すに際し、上記シート状部材の左右の端部の一方の上端及び下端に形成されたフックを上記嵌合部に嵌合させるとともに、上記シート状部材の左右の端部の上記一方の上端及び下端に位置する上記永久磁石を上記凹部に収容して上記シート状部材を上記巻取り具に巻き取るようにしたことを特徴とする。
【０００８】
また、請求項２に記載の発明は、上記キャップを上記筒体の軸方向にスライド自在に取り付け、上記キャップを上記筒体に対し軸方向にスライドさせることにより上記フックと上記嵌合部との嵌合及びその解除を行うようにしたことを特徴とする。
【０００９】
さらに、請求項３に記載の発明は、上記キャップが留め具を有し、上記巻取り具への上記シート状部材の巻き取り後、上記シート状部材の左右の端部の他方の上端及び下端に形成された切り欠きに上記留め具を係止するようにしたことを特徴とする。
【００１１】
また、請求項４に記載の発明は、上記シート状部材が筆記ボード／反射型スクリーン両用シートであることを特徴とする。
【００１２】
【発明の実施の形態】
以下、本発明の実施の形態について、図面を参照しながら説明する。
図１は、本発明の実施の形態１にかかる筆記ボード／反射型スクリーン両用シート２（以下、単にシート２と称する）を示しており、プラスチックフィルム等の基材の表面及び裏面に特殊コート層及びマグネットシートがそれぞれ設けられている。シート２のサイズとしては、例えば１２００〜１８００ｍｍＬ×９００ｍｍＨのものが使用される。シート２の両端部には、その高さ方向の全長にわたって、例えば約１０ｍｍ幅のばね鋼４，４が粘着剤等により貼着されている。
【００１３】
また、シート２の四隅、すなわち、ばね鋼４，４の上端部および下端部には、図２に示されるように、矩形状の永久磁石６が粘着剤等により貼着されるとともに、永久磁石６は、例えば鉄製の磁石カバー８に覆われている。
【００１４】
使用に際し、シート２は、黒板あるいはホワイトボード等にマグネットシート及び永久磁石６の磁力を利用して吸着されるが、シート２の両端部の全長にわたって設けられたばね鋼４，４及び永久磁石６，…，６によりシート２の両端部の反りが防止される。
【００１５】
図３に示されるように、磁石カバー８には、例えばプラスチック製のカバー１０が着脱自在に設けられており、シート２の使用時、カバー１０をスライドさせて磁石カバー８を覆うことにより美観を向上させる一方、シート２の使用後、カバー１０を取り外すことにより収納性を向上させている。
【００１６】
図４乃至図６は、上記構成のシート２を巻き取るために使用される巻取り具１２を示しており、シート２の巻取り部である円筒状の筒体１４を有し、筒体１４の両端には円形キャップ１６，１６が取り付けられている。
【００１７】
筒体１４には、軸方向に延びる凹部１４ａが形成されており、軸方向に垂直な凹部１４ａの断面は略Ｕ字状を呈している。また、凹部１４ａの略平坦な底面には、凹部１４ａより幅が小さく平坦で長尺な永久磁石１８が粘着剤等により貼着されており、この永久磁石１８は、キャップ１６，１６から所定距離Ｌだけ離間した位置で終端している。また、永久磁石１８の長さＬ１は、シート２の各端部に取り付けられた磁石カバー８，８の内法Ｌ２よりも小さく設定されており（Ｌ１＜Ｌ２）、磁石カバー８，８の各々の長さは上述したＬよりも短く設定されている。
【００１８】
上記構成の巻取り具１２の周囲にシート２を巻き取る場合、図４に示されるように、シート２の上に巻取り具１２をまず配置する。次に、図５及び図６に示されるように、シート２の一端に設けられたばね鋼４を筒体１４の凹部１４ａに設けられた永久磁石１８に吸着させるとともに、ばね鋼４の両端に設けられた凸部（磁石カバー８，８）を、永久磁石１８の両端とキャップ１６，１６との間のスペースに嵌入させる。
【００１９】
この時、上述したように、永久磁石１８の長さＬ１は、磁石カバー８，８の内法Ｌ２よりも小さく設定される一方、磁石カバー８，８の長さは、永久磁石１８の両端とキャップ１６，１６との間隔より小さく設定されていることから、ばね鋼４は、ほぼ全面にわたって永久磁石１８に吸着されるとともに、磁石カバー８，８は、永久磁石１８の両端とキャップ１６，１６との間のスペースに確実に嵌入し、シート２の内面は筒体１４の外面とほぼ面一となる。
【００２０】
したがって、巻取り具１２を回転させる（転がす）ことによりシート２を筒体１４の周囲に徐々に巻き取ることができるとともに、巻取りが円滑に行われることから、シート２に皺が発生することもない。
【００２１】
なお、上記実施の形態において、筆記ボード／反射型スクリーン両用シート２を巻取り具１２に巻き取る場合について説明したが、少なくとも一端にばね鋼等の被吸着部材が設けられたシート状部材であれば、本発明にかかるシートの巻取り具を適用できることは言うまでもない。
【００２２】
また、巻取り具１２の筒体１４としては、パイプ状の中空軸及び中実軸のいずれも使用可能である。
【００２３】
図７は、本発明の実施の形態２にかかるシート２０と、このシート２０を巻き取るための巻取り具２２を示している。
【００２４】
図８乃至図１０に示されるように、シート２０の片側には、シート２０の高さより短い、例えば約１０ｍｍ幅の中空角材状のスペーサ２４が貼着されており、スペーサ２４は、例えばアルミニウム、プラスチック等により製作される。スペーサ２４の上下（シートの上下端）には、それぞれ一つの矩形状の永久磁石２６，２６（図８では一つだけ示した）が貼着されており、永久磁石２６，２６の各々には、断面Ｕ字状の鉄板２８，２８が取り付けられている。
【００２５】
また、永久磁石２６，２６と鉄板２８，２８は、プラスチックカバー３０，３０で覆われており、シート２０の使用時における美観を向上させている。上部プラスチックカバー３０の上端部はシート２０の上縁部から上方に、また、下部プラスチックカバー３０の下端部はシート２０の下縁部から下方にそれぞれ突出しており、この突出部にシート２０の後方側に開口する略Ｕ字状の切り欠き３０ａ，３０ａが形成されている。プラスチックカバー３０，３０の切り欠き３０ａ，３０ａとは反対側の端部には挿入部３０ｂ，３０ｂが形成されており、この挿入部３０ｂ，３０ｂがスペーサ２４の上端部及び下端部に挿入され保持されている。
【００２６】
図１１及び図１２に示されるように、シート２０の反対側にも同様に、シート２０の高さより短い、例えば約１０ｍｍ幅の中空角材状のスペーサ３２が貼着されており、スペーサ３２は、例えばアルミニウム、プラスチック等により製作される。スペーサ３２の上下（シートの上下端）には、それぞれ一つの矩形状の永久磁石３４，３４（図１２では一つだけ示した）が貼着されており、永久磁石３４，３４の各々には、断面Ｕ字状の鉄板３６，３６が取り付けられている。
【００２７】
また、永久磁石３４，３４と鉄板３６，３６は、プラスチックカバー３８，３８で覆われており、上部プラスチックカバー３８の上端部はシート２０の上縁部から上方に、また、下部プラスチックカバー３８の下端部はシート２０の下縁部から下方にそれぞれ突出している。上部プラスチックカバー３８の上端部及び下部プラスチックカバー３８の下端部には、シート２０の前方側に突出するフック３８ａ，３８ａが形成されており、その先端には傾斜面３８ｂ，３８ｂが形成されている。また、フック３８ａ，３８ａとは反対側の端部には挿入部３８ｃ，３８ｃが形成されており、この挿入部３８ｃ，３８ｃがスペーサ３２の上端部及び下端部に挿入され保持されている。
【００２８】
なお、シート２０、スペーサ２４，３２、永久磁石２６，２６，３４，３４、鉄板２８，２８，３６，３６、プラスチックカバー３０，３０，３８，３８はすべて接着剤等により一体的に接合される。
【００２９】
図１３乃至図１６は、上記構成のシート２０を巻き取るための巻取り具２２を示しており、シート２０の巻取り部である円筒状の筒体４０を備えている。
【００３０】
筒体４０には、軸方向に延びる凹部４０ａが形成されており、軸方向に垂直な凹部４０ａの断面は略Ｕ字状を呈している。また、筒体４０の各端部には、外キャップ４２と内キャップ４４が設けられている。
【００３１】
外キャップ４２は、第１円筒部４６と、第１円筒部４６の内端部に一体的に形成され第１円筒部４６より小径の第２円筒部４８と、第１円筒部４６の外端部に一体的に形成され第１円筒部４６より大径のフランジ５０とを備えている。第１円筒部４６の内端部にはねじ孔５２ａが穿設された取付部５２が一体的に形成されており、第１円筒部４６に対し、フランジ５０は偏心している。
【００３２】
第１円筒部４６は、第２円筒部４８に向かって直径が漸減するテーパ状に形成されており、フランジ５０近傍の直径は、筒体４０の凹部４０ａとその反対側に位置する対向面との間の距離と略等しく設定されているので、フランジ５０が筒体４０の端面に当接するまで第１円筒部４６を筒体４０に挿入し、凹部４０ａに穿設された孔４０ｂにねじ５４を挿通した後取付部５２のねじ孔５２ａに螺着することにより外キャップ４２は筒体４０に固定される。なお、筒体４０の凹部４０ａ及び外キャップ４２の第１円筒部４６とフランジ５０には略同一形状の切り欠き４０ｃ，４２ａが形成されており、外キャップ４２が筒体４０に固定された状態では、二つの切り欠き４０ｃ，４２ａは互いに対向している。
【００３３】
一方、内キャップ４４は、円筒状挿入部５６と、その外端部に偏心した状態で一体的に形成されたフランジ５８とを有し、フランジ５８とは反対側の挿入部５６の端部にはテーパ状の係止部６０が形成されている。また、フランジ５８より軸方向に所定距離だけ離間した挿入部５６には嵌合部６２が半径方向外方に突設して形成されている。嵌合部６２の一部には傾斜面６２ａが形成されており、上下二つの傾斜面６２ａ，６２ａの間隔は、シート２０に設けられた二つのフック３８ａ，３８ａの傾斜面３８ｂ，３８ｂの間隔に略等しく設定されている。さらに、挿入部５６の周囲には所定の間隔で複数（例えば、三つ）のリブ６４，…，６４が形成されており、嵌合部６２の底面とリブ６４，…，６４の底面は同一レベルとなっている。また、挿入部５６には、係止部６０が形成された端部から軸方向に延びる二つの切り欠き６６，６６が設けられている。
【００３４】
内キャップ４４を外キャップ４２に取り付ける場合、まずコイルスプリング６８を内キャップ４４の挿入部５６の周囲に取り付け、次に挿入部５６を外キャップ４２の第１円筒部４６に挿入する。この時、内キャップ４４の係止部６０が外キャップ４２の第２円筒部４８に当接するが、内キャップ４４の挿入部５６に切り欠き６６，６６が形成され、係止部６０にテーパ面６０ａが形成されていることから、内キャップ４４を外キャップ４２に向かって押圧すると、係止部６０が多少縮径して内キャップ４４が外キャップ４２にさらに挿入され、図１５に示されるように、係止部６０が第２円筒部４８の内端面（図１５では下端面）に係止される。この状態では、コイルスプリング６８は、その両端が嵌合部６２とリブ６４，…，６４及び第１円筒部４６の下端部と当接しているので、内キャップ４４は常に軸方向外方（図１５では上方）に向かって付勢されている。
【００３５】
なお、フランジ５０とフランジ５８は、第１円筒部４６と挿入部５６に対しそれぞれ偏心した状態で設けられているので、外キャップ４２と内キャップ４４を所定の位置に取り付けると、二つのフランジ５０，５８は筒体４０に対し同心状に配置される。
【００３６】
また、図１４に示されるように、内キャップ４４には、留め具７０が取り付けられており、筒体４０の内部に係止されたスプリングあるいは他の弾性部材（図示せず）により筒体４０の内部に向かって常に付勢されている。
【００３７】
上記構成のシート２０の非使用時、シート２０は巻取り具２２に巻回されており、内キャップ４４，４４の中心近傍に設けられた留め具７０，７０を弾性部材の弾性力に抗して引き出し、シート２０の片側（図７では左側）に設けられたプラスチックカバー３０，３０の切り欠き３０ａ，３０ａに係止することにより、シート２０は巻取り具２２の周囲に保持されている。
【００３８】
このシート２０を使用する場合、留め具７０，７０とプラスチックカバー３０，３０の切り欠き３０ａ，３０ａとの係止をまず解除し、シート２０の片側の上端部及び下端部に取り付けられた永久磁石２６，２６を黒板あるいはホワイトボード等の被磁着体に磁着させてシート２０の片側を固定する。
【００３９】
次に、巻取り具２２を被磁着体に沿って回転させてシート２０を展張することによりシート２０の裏面に形成されたマグネットシートを被磁着体に磁着させる。さらに、シート２０の反対側（図７では右側）の上端部及び下端部に取り付けられた永久磁石３４，３４を被磁着体に磁着させることによりシート２０の被磁着体への固定が完了する。
【００４０】
最後に、巻取り具２２のフランジ５８，５８をコイルスプリング６８，６８の付勢力に抗して筒体４０に向かって押圧すると、嵌合部６２，６２とフック３８ａ，３８ａとの嵌合が解除され、巻取り具２２をシート２０から切り離すことができる。
【００４１】
なお、図１０に示されるように、鉄板２８，２８，３６，３６の外端をシート２０の裏面より僅かに（例えば、０．２〜０．３ｍｍ）突出させているのは、永久磁石２６，２６，３４，３４の磁着力を増大させるためである。
【００４２】
使用後、シート２０を収納する場合、巻取り具２２の両端に設けられた嵌合部６２，６２の傾斜面６２ａ，６２ａをシート端部の上下に設けられたフック３８ａ，３８ａの傾斜面３８ｂ，３８ｂにまず当接させ、嵌合部６２，６２をフック３８ａ，３８ａに向かって押圧する。その結果、筒体４０の軸方向内方に向かう力が嵌合部６２，６２に加わり、コイルスプリング６８，６８の付勢力に抗して内キャップ４４，４４が筒体４０に向かってスライドし、嵌合部６２，６２が対応するフック３８ａ，３８ａと嵌合する。
【００４３】
この状態で、巻取り具２２を被磁着体に沿って回転させると、シート２０は巻取り具２２に巻き取られ、シート端部に設けられた二つのプラスチックカバー３０，３０の切り欠き３０ａ，３０ａに留め具７０，７０を係止することによりシート２０の巻取りが完了する。
【００４４】
なお、上記実施の形態において、シート２，２０として筆記ボード／反射型スクリーン両用シートを例に取り説明したが、シート２，２０の裏面にマグネットシートが設けられていない他のシートも適用可能である。
【００４５】
また、シート２の反りの発生防止と、シート２の巻取りあるいは展張時の操作性の点から、巻取り具４の直径は、例えば２０φ〜７０φに設定される。
【００４８】
【発明の効果】
本発明は、以上説明したように構成されているので、以下に記載されるような効果を奏する。
本発明のうちで請求項１に記載の発明によれば、永久磁石を被磁着体に磁着させることによりシート状部材を被磁着体に取り付ける一方、シート状部材に設けられたフックを巻取り具に設けられた嵌合部に嵌合させてシート状部材を巻取り具に巻き取るようにしたので、シート状部材の巻取りが極めて容易で、巻取り操作を誤ってもシート状部材にクラックや皺が発生することがなく、シート状部材の信頼性が向上する。
【００４９】
また、請求項２に記載の発明によれば、キャップを筒体に対し軸方向にスライドさせることによりフックと嵌合部との嵌合及びその解除を行うようにしたので、シート状部材の展張及び巻取りを極めて容易に行うことができる。
【００５０】
また、請求項４に記載の発明によれば、シート状部材を筆記ボード／反射型スクリーン両用シートとしたので、ハードコート層を有するシートであっても、皺が発生することなく確実に巻き取ることができる。
【図面の簡単な説明】
【図１】  本発明の実施の形態１にかかる筆記ボード／反射型スクリーン両用シートの斜視図である。
【図２】  図１の線II-IIに沿った断面図である。
【図３】  図１の筆記ボード／反射型スクリーン両用シートのコーナー部の部分拡大斜視図である。
【図４】  図１の筆記ボード／反射型スクリーン両用シートを巻取り具で巻き取る場合の斜視図である。
【図５】  巻取り前の筆記ボード／反射型スクリーン両用シートと巻取り具との位置関係を示しており、（ａ）は巻取り具を、（ｂ）は筆記ボード／反射型スクリーン両用シートをそれぞれ示している。
【図６】  巻取り直前の筆記ボード／反射型スクリーン両用シートと巻取り具との位置関係を示す断面図である。
【図７】  本発明の実施の形態２にかかるシートと巻取り具の斜視図である。
【図８】  図７に示されたシートの片側の端部に設けられた複数の部材の分部分解斜視図である。
【図９】  図８に示された部材の縦断面図である。
【図１０】  図８に示された部材の横断面図である。
【図１１】  図７のシートの反対側の端部に設けられた複数の部材の部分斜視図である。
【図１２】  図１１に示された部材の分解斜視図である。
【図１３】  図７に示された巻取り具の部分分解斜視図である。
【図１４】  図１３の巻取り具の組み立て後の斜視図である。
【図１５】  図１３の巻取り具の組み立て後の縦断面図である。
【図１６】  図１３の巻取り具の平面図である。
【符号の説明】
２，２０    筆記ボード／反射型スクリーン両用シート
４    ばね鋼
６，１８，２６，３４  永久磁石
８    磁石カバー
１０  カバー
１２，２２  巻取り具
１４，４０  筒体
１４ａ，４０ａ  凹部
１６  キャップ
２４，３２  スペーサ
２８，３６  鉄板
３０，３８  プラスチックカバー
３８ａ  フック
３８ｂ  傾斜面
４２  外キャップ
４４  内キャップ
４６  第１円筒部
４８  第２円筒部
５０，５８  フランジ
５２  取付部
５６  挿入部
６０  係止部
６２  嵌合部
６４  リブ
６６  切り欠き
６８  コイルスプリング
７０  留め具
【図１】
0004520064.tif 000002
【図２】
0004520064.tif 000003
【図３】
0004520064.tif 000004
【図４】
0004520064.tif 000005
【図５】
0004520064.tif 000006
【図６】
0004520064.tif 000007
【図７】
0004520064.tif 000008
【図８】
0004520064.tif 000009
【図９】
0004520064.tif 000010
【図１０】
0004520064.tif 000011
【図１１】
0004520064.tif 000012
【図１２】
0004520064.tif 000013
【図１３】
0004520064.tif 000014
【図１４】
0004520064.tif 000015
【図１５】
0004520064.tif 000016
【図１６】
0004520064.tif 000017